(57)【要約】【課題】  本発明は、所望の処理パラメータへの設定を容易かつ迅速に行えるようにした画像処理装置および制御プログラムを提供する。【解決手段】  本発明は、ユーザ各々に対応して作成されたユーザカスタム設定と、工場出荷時のデフォルト設定との間に中間カスタム設定を設ける。なお、中間カスタム設定は、管理者等（一般ユーザであってもよい）により設定されるものである。  ユーザは、デフォルト設定からユーザカスタム設定を作成するのではなく、中間カスタム設定を変更してユーザカスタム設定を作成することになる。そのため、中間カスタム設定には、画像処理装置の利用環境等に応じた汎用の設定値を設定しておくのが望ましい。なお、ユーザＡのように中間パラメータ設定を変更せずにそのままそれをユーザカスタム設定として利用してもよい。【選択図】  図１
2008092424.tif 000002
【特許請求の範囲】
【請求項１】
工場出荷時の処理設定情報を初期値として設定変更して登録された第１の処理設定情報を保持する第１の保持手段と、
前記第１の保持手段に保持された第１の処理設定情報を初期値として設定変更して登録されたユーザ各々に対応した第２の処理設定情報を保持する第２の保持手段と、
前記第２の保持手段に保持された前記第２の処理設定情報に基づき各種制御を行う制御手段と
を具備する画像処理装置。
【請求項２】
前記工場出荷時の設定を初期値として設定変更された前記第１の処理情報を前記第１の保持手段に登録する登録手段
を更に具備する請求項１記載の画像処理装置。
【請求項３】
前記第１の保持手段に保持された第１の処理設定情報を初期値として設定変更されたユーザ各々に対応した前記第２の処理設定情報を前記第２の保持手段に登録する登録手段
を更に具備する請求項１記載の画像処理装置。
【請求項４】
画像処理装置に内蔵されたコンピュータを、
工場出荷時の処理設定情報を初期値として設定変更して登録された第１の処理設定情報を保持する第１の保持手段、
前記第１の保持手段に保持された第１の処理設定情報を初期値として設定変更して登録されたユーザ各々に対応した第２の処理設定情報を保持する第２の保持手段、
前記第２の保持手段に保持された前記第２の処理設定情報に基づき各種制御を行う制御手段
として機能させるための制御プログラム。
【発明の詳細な説明】
【技術分野】
【０００１】
本発明は、画像処理装置および制御プログラムに関する。
【背景技術】
【０００２】
企業や官公庁、学校等においては、複数のユーザでプリンタ、複合機等の画像処理装置を共用して利用する環境が構築されている。このような環境においては、複数のユーザで画像処理装置を利用するため、個々のユーザは、処理設定情報を用途に合わせて適宜変更することになる。
【０００３】
しかし一般に、工場出荷時の設定では、装置製造元のベンダーメーカの都合でデフォルト設定がなされているため、処理設定情報を自身の用途に合わせて変更する際には、変更内容が多く煩雑な作業が必要となっていた。
【０００４】
そこで、例えば、特許文献１には、モード切替毎にデフォルト設定を変更する技術について言及されている。これは、例えば、コピー時とスキャン時とで、その画質設定のデフォルト設定を変更するというものである。
【０００５】
また、例えば、特許文献２には、ユーザ毎にデフォルト設定を変更する技術について言及されている。これは、ユーザ毎に有効にする動作環境を変更することで、ユーザ毎に最適な動作環境を提供するというものである。
【特許文献１】特開平６−１５２８２１号
【特許文献２】特開２００５−１７５５３０号
【発明の開示】
【発明が解決しようとする課題】
【０００６】
本発明は、所望の処理設定情報への設定を容易かつ迅速に行えるようにした画像処理装置および制御プログラムを提供することを目的とする。
【課題を解決するための手段】
【０００７】
上記目的を達成するため、請求項１の画像処理装置の発明は、工場出荷時の処理設定情報を初期値として設定変更して登録された第１の処理設定情報を保持する第１の保持手段と、前記第１の保持手段に保持された第１の処理設定情報を初期値として設定変更して登録されたユーザ各々に対応した第２の処理設定情報を保持する第２の保持手段と、前記第２の保持手段に保持された前記第２の処理設定情報に基づき各種制御を行う制御手段とを具備する。
【０００８】
また、請求項２の発明は、請求項１の発明において、前記工場出荷時の設定を初期値として設定変更された前記第１の処理情報を前記第１の保持手段に登録する登録手段を更に具備する。
【０００９】
また、請求項３の発明は、請求項１の発明において、前記第１の保持手段に保持された第１の処理設定情報を初期値として設定変更されたユーザ各々に対応した前記第２の処理設定情報を前記第２の保持手段に登録する登録手段を更に具備する。
【００１０】
また、請求項４の発明は、画像処理装置に内蔵されたコンピュータを、画像処理装置に内蔵されたコンピュータを、工場出荷時の処理設定情報を初期値として設定変更して登録された第１の処理設定情報を保持する第１の保持手段、前記第１の保持手段に保持された第１の処理設定情報を初期値として設定変更して登録されたユーザ各々に対応した第２の処理設定情報を保持する第２の保持手段、前記第２の保持手段に保持された前記第２の処理設定情報に基づき各種制御を行う制御手段として機能させる。
【発明の効果】
【００１１】
本発明によれば、所望の処理設定情報への設定を容易かつ迅速に行うことができるため、利便性が向上する。例えば、ユーザ所望の処理設定情報を設定する際に、処理設定情報の一部を変更するだけで済む。
【００１２】
また、例えば、カラー写真のスキャンが頻繁に行われる環境にあっては、処理設定情報のカラー項目の設定に、カラー、写真モード等を設定しておけば、スキャンの都度、カラー設定等に変更しなくて済む。
【発明を実施するための最良の形態】
【００１３】
以下、本発明に係わる画像処理装置および制御プログラムの実施例について添付図面を参照して詳細に説明する。なお、本実施例においては、画像処理装置が、コピー、スキャナ、およびファックス等の各種機能を備えた複合機である場合について説明するが、これに限られず、プリンタ、複写機、ファックス等であっても代用できる。
【実施例】
【００１４】
まず、図１を用いて本発明の基本概念について説明する。
【００１５】
画像処理装置において、何らかの処理（例えば、コピー）を行う際には、用紙サイズや濃度、動作モード（スキャン、コピー、ファックス等）等の処理設定情報（以下、処理パラメータと言う）の設定を行う必要がある。
【００１６】
一般に、ユーザは、工場出荷時のデフォルト設定からユーザ所望の処理パラメータに設定変更し画像処理装置を利用することになるが、その変更内容が多く煩雑な作業が必要となっていた。そこで、本発明においては、ユーザ各々に対応して作成されたユーザカスタム設定と、工場出荷時のデフォルト設定との間に中間カスタム設定を設けることとする。なお、中間カスタム設定は、管理者等（一般ユーザであってもよい）により設定されるものである。
【００１７】
ユーザは、デフォルト設定からユーザカスタム設定を作成するのではなく、中間カスタム設定を変更してユーザカスタム設定を作成することになる。そのため、中間カスタム設定には、画像処理装置の利用環境等に応じた汎用の設定値を設定しておくのが望ましい。なお、図１に示すユーザＡのように中間パラメータ設定を変更せずにそのままそれをユーザカスタム設定として利用してもよい。
【００１８】
ここで、図１で説明した本発明の基本概念を実現するための構成について説明する。図２は、本発明に係わる画像処理装置の概略構成の一部を示す図である。画像処理装置１０は、コピー、スキャナ、およびファックス等の各種機能を備えており、その機能構成として、ユーザインターフェース部１１と、認証部１２と、画像読取部１３と、画像形成部１４と、通信部１５と、制御部１６とを具備して構成される。
【００１９】
ユーザインターフェース部１１は、液晶ディスプレイなどの表示用デバイスである表示部１１ａと、カーソルハードキーやテンキーなどの入力用デバイスである入力部１１ｂとを備えたオペレータパネル等から構成され、ユーザと画像処理装置１０とを繋ぐユーザインターフェースとしての機能を果たす。なお、本実施例における表示部１１ａは、文字主体の表示に限られるが、文字、アニメーション等の表示が可能なグラフィカルなものであってもよい。
【００２０】
認証部１２は、カードリーダ等から構成され、ユーザ認証を行う機能を果たす。なお、本実施例における画像処理装置１０では、認証部１２を設けユーザ認証を行う場合について説明するが、ユーザインターフェース部１１からの入力（ユーザ名、パスワード）に基づきユーザ認証を行う場合には、認証部１２を省略してもよい。
【００２１】
画像読取部１３は、照明ランプ、レンズ、ＣＣＤ（Charge Coupled Device）等から構成され、プラテンガラス（原稿台）上に置かれた原稿を光学的に走査して、原稿を読み取る機能を果たす。
【００２２】
画像形成部１４は、感光ドラム、転写ベルト、定着器等から構成され、用紙等の記録媒体上に画像を形成する機能を果たす。なお、本実施例においては、画像形成部１４が電子写真方式で構成される場合を例に挙げて説明するが、これに限られず、他の方式（例えば、インクジェット方式）を採用してもよい。
【００２３】
通信部１５は、ＬＡＮ（Local Area Network）ボードや電話線モジュラージャック等で構成され、画像処理装置１０と外部装置、あるいは公衆回線網を繋ぐ通信インターフェースとしての機能を果たす。なお、この通信部１５における通信は、有線、無線であるかは問わない。
【００２４】
制御部１６は、ＣＰＵ（Central Processing Unit）、プログラム用メモリ、作業用メモリ、各種ＡＳＩＣ（Application Specific Integrated Circuit）等から構成され、画像処理装置１０を統括制御する機能を果たす。以上が、画像処理装置１０を構成する各種処理機能の説明である。なお、図１においては、説明を分かり易くするために、各処理機能を具体的に実現する構成を例示しているが、これはあくまで一例であり、これ以外の構成により各処理機能が実現されてもよい。
【００２５】
次に、図３を用いて、上記図２に示す制御部１６の機能的な構成の一部について説明する。
【００２６】
制御部１６は、各種処理機能部として、処理パラメータ登録部２１と、デフォルト設定保持部２２と、中間カスタム設定保持部２３と、ユーザカスタム設定保持部２４と、認証処理部２５と、処理パラメータ読出部２６と、主制御部２７とを具備して構成される。
【００２７】
処理パラメータ登録部２１は、入力部１１ｂを介したユーザ等からの入力操作に応じて処理パラメータを登録する機能を果たす。なお、処理パラメータ登録部２１による処理パラメータの登録は、通信部１５を介して接続されたパーソナルコンピュータ等からの入力操作に応じて行われてもよい。
【００２８】
デフォルト設定保持部２２は、工場出荷時のデフォルト設定の処理パラメータを保持する機能を果たし、中間カスタム設定保持部２３は、管理者、ユーザ等により登録された中間カスタム設定の処理パラメータを保持する機能を果たし、ユーザカスタム設定保持部２４は、ユーザにより登録されたユーザカスタム設定の処理パラメータを保持する機能を果たす。
【００２９】
認証処理部２５は、認証部１２等（入力部１１ｂであってもよい）から入力されたユーザ認証情報に基づきユーザ認証を行う機能を果たす。すなわち、認証部１２においてカードから読み取られたカード情報に基づき当該カード所有者に対するユーザ認証を行う。
【００３０】
処理パラメータ読出部２６は、処理パラメータを読み出す機能を果たす。処理パラメータ読出部２６では、中間カスタム設定が登録されている場合には、当該処理パラメータを読み出すことになるが、中間カスタム設定が登録されていない場合には、工場出荷時のデフォルト設定を読み出すことになる。また、認証部１２等からユーザ認証が行われた場合であってかつ、当該ユーザに対応するユーザカスタム設定が登録されている場合には、当該処理パラメータの読み出しを行うことになる。なお、ユーザ認証が行われた場合には、処理パラメータだけでなく当該ユーザに対応するアドレス帳等も同時に読み出すことになる。
【００３１】
主制御部２７は、制御部１６における処理を統括制御する機能を果たす。主制御部２７は、処理パラメータ読出部２６により読み出された処理パラメータに基づき各部の動作を制御する。以上が、制御部１６を構成する各種処理機能の説明である。
【００３２】
ここで、図４から図６を用いて、中間カスタム設定の作成方法について説明する。図４から図６には、ユーザインターフェース部１１の概要が示されており、図４にはカラーモード選択画面、図５には画質モード選択画面、図６には中間カスタム設定画面が示されている。
【００３３】
この図４に示すカラーモード選択画面から中間カスタム設定を作成する場合には、表示部１１ａに表示されている項目（カラーモード選択、フルカラー、グレースケール、白黒）についてカーソルハードキーで表示部１１ａの選択を左右に動かすことで各種設定の選択、決定を行う。また、上下キーを押下することで別の項目の設定に移ることができる。
【００３４】
例えば、図４に示すように、フルカラーが選択された状態で、下ボタンを押下すると、図５に示す画質モード選択画面が表示される。そして、この画面で”文字”を選択すると、画質モード選択の設定値が設定あるいは変更されることになる。このようにしてこれ以外の処理パラメータについても同様の操作を繰り返し行い、最後に、図６に示す中間カスタム設定画面に移動し、カーソルハードキーで”ＹＥＳ”を選択すると、所望の中間カスタム設定が作成され登録されることになる。
【００３５】
次に、図７および図８を用いて、画像処理装置１０における動作について説明する。まず、図７を用いて、処理パラメータ登録部２１においてユーザカスタム設定を登録する際の動作について説明する。なお、ここでは、中間カスタム設定が既に登録されているものとして説明する。
【００３６】
この処理では、まず、処理パラメータ読出部２６が、中間カスタム設定保持部２３から中間カスタム設定の読み出しを行う（ステップＳ１０１）。すると、これが表示部１１ａに表示される。
【００３７】
これを参照したユーザは、入力部１１ｂを介してこの中間カスタム設定を変更してユーザカスタム設定の作成を行う（ステップＳ１０２）。そして、作成が済みユーザが登録を指示すると、処理パラメータ登録部２１は、この作成された処理パラメータをユーザカスタム設定保持部２４に登録する（ステップＳ１０３）。
【００３８】
ここで、他のユーザに対してもユーザカスタム設定を作成する場合には（ステップＳ１０４でＹＥＳ）、ステップＳ１０１に戻り、処理パラメータ読出部２６による中間カスタム設定の読み出しが再度行われることになるが、ユーザカスタム設定の作成が終わった場合には（ステップＳ１０４でＮＯ）、そのままこの処理を終了する。
【００３９】
次に、図８を用いて、処理パラメータ読出部２６により処理パラメータを読み出す際の動作について説明する。
【００４０】
処理パラメータ読出部２６は、まず、認証部１２、認証処理部２５における認証が済んでいるか否かを判断する。ここで、ユーザ認証済みである場合には（ステップＳ２０１でＹＥＳ）、次に、当該ユーザに対応するユーザカスタム設定がユーザカスタム設定保持部２４に保持されているか否かの判断を行う。この判断の結果、当該ユーザに対応するユーザカスタム設定がある場合には（ステップＳ２０２）、処理パラメータ読出部２６により当該ユーザカスタム設定が読み出され（ステップＳ２０３）、この処理は終了することになるが、当該ユーザに対応するユーザカスタム設定がない場合（ステップＳ２０２でＮＯ）、あるいはステップＳ２０１において、ユーザ認証が行われていないと判断された場合には（ステップＳ２０１でＮＯ）、処理パラメータ読出部２６は、中間カスタム設定保持部２３に中間カスタム設定が保持されているか否かの判断を行う。
【００４１】
ここで、中間カスタム設定がある場合には（ステップＳ２０４でＹＥＳ）、処理パラメータ読出部２６により当該中間カスタム設定が読み出され（ステップＳ２０５）、この処理は終了することになるが、中間カスタム設定がない場合には（ステップＳ２０４でＮＯ）、処理パラメータ読出部２６によりデフォルト設定が読み出され（ステップＳ２０６）、この処理は終了する。
【００４２】
以上が本発明の代表的な実施形態の一例であるが、本発明は、上記および図面に示す実施例に限定することなく、その要旨を変更しない範囲内で適宜変形して実施できるものである。
【００４３】
例えば、上記実施例において説明した処理を、コンピュータにインストールされた制御プログラムにより実施するように構成してもよい。なお、この制御プログラムは、ネットワーク等の通信手段により提供することはもちろん、ＣＤ−ＲＯＭ等の記録媒体に格納して提供することも可能である。
【００４４】
また、処理パラメータには、用紙サイズや濃度、動作モード（コピー、ファックス等）、等の他、運用ポリシー等の設定値も含まれる。
【産業上の利用可能性】
【００４５】
本発明の画像処理装置および制御プログラムは、画像処理装置、および画像処理装置に内蔵されたコンピュータに実行させる制御プログラム全般に適用可能である。
【図面の簡単な説明】
【００４６】
【図１】本発明の基本概念を示す図である。
【図２】本発明に係わる画像処理装置の概略構成の一部を示す図である。
【図３】図２に示す制御部１６の機能的な構成の一部を示す図である。
【図４】中間カスタム設定の作成方法を説明する図である（その１）。
【図５】中間カスタム設定の作成方法を説明する図である（その２）。
【図６】中間カスタム設定の作成方法を説明する図である（その３）。
【図７】ユーザカスタム設定を登録する際の動作を示すフローチャートである。
【図８】処理パラメータを読み出す際の動作を示すフローチャートである。
【符号の説明】
【００４７】
１０    画像処理装置
１１    ユーザインターフェース部
１１ａ    表示部
１１ｂ    入力部
１２    認証部
１３    画像読取部
１４    画像形成部
１５    通信部
１６    制御部
２１    処理パラメータ登録部
２２    デフォルト設定保持部
２３    中間カスタム設定保持部
２４    ユーザカスタム設定保持部
２５    認証処理部
２６    処理パラメータ読出部
２７    主制御部
【図１】
2008092424.tif 000003
【図２】
2008092424.tif 000004
【図３】
2008092424.tif 000005
【図４】
2008092424.tif 000006
【図５】
2008092424.tif 000007
【図６】
2008092424.tif 000008
【図７】
2008092424.tif 000009
【図８】
2008092424.tif 000010